(57)【要約】  装丁によって各ページの綴じ代に沿って予め綴じられた印刷可能ページのブロックのページに印刷するように構成された印刷装置が提供される。当該ブロックのページは、フレキシブル装丁によって結合されている、２つの相互に接続された積層物に配置される。積層物の各々の上面に対して印刷が行なわれ、次に上面ページが一方の積層物から他方に再配置される。再配置プロセス中にページがめくられ、それによって当該ページの印刷されていない面が露出される。積層物の各々の高さはページが再配置されるたびに変化するため、印刷装置は、２つの積層物のうち対応する一方に各々が関連付けられた２つの高さ調整可能な積層物支持テーブルを備える。支持テーブルは、積層物の各々の上面の平面関係を維持するように、自身の高さを調整するように構成される。印刷後、印刷されていないページから印刷済ページが取り除かれ、分離される。その後、印刷済ページに本の表紙が取付けられ、本が完成される。【特許請求の範囲】
【請求項１】
印刷物を制作するための方法であって、
（ａ）  装丁によって各ページの綴じ代に沿って予め綴じられた複数の空白ページからなるブロックを形成するステップと、
（ｂ）  前記装丁によって相互に接続された２つの隣接積層物を形成するように前記ブロックを配置するステップとを備え、複数の印刷可能ページのうち少なくとも１ページは第１の積層物に配置され、残りの前記複数の印刷可能ページは第２の積層物に配置され、かつ前記第１の積層物および前記第２の積層物の印刷可能な上面は同一平面上にあり、さらに、
（ｃ）  前記第１の積層物および前記第２の積層物のうち少なくとも一方の前記上面に印刷するように、印刷装置と前記印刷可能な上面との間に相対的な移動を生じさせるステップと、
（ｄ）  新たな前記印刷可能な上面が得られるように、前記第２の積層物の上面ページを前記第１の積層物に再配置するステップと、
（ｅ）  必要に応じてステップ（ｃ）およびステップ（ｄ）を繰返して、所要のページ数を印刷するステップとを備える、方法。
【請求項２】
印刷物の印刷済ページを前記ブロックから分離するステップをさらに含む、請求項１に記載の方法。
【請求項３】
印刷済ページを分離する前記ステップは、前記印刷装置に関連付けられた切断要素を用いて行なわれ、前記切断要素は、前記第１の積層物を前記第２の積層物から分離するように構成される、請求項２に記載の方法。
【請求項４】
印刷物の前記印刷済ページを、印刷物の前記印刷済ページと相互に接続するための取付構造を有する本の表紙に取付けるステップをさらに含む、請求項１に記載の方法。
【請求項５】
前記本の表紙は、予め製造された調整可能な本の表紙として与えられ、粘着性の背領域を有し、粘着性の背領域は、少なくとも１つの剥離する表紙部によって被覆され、少なくとも１つの剥離する表紙部は、除去されると所定の粘着性領域を露出させるように構成され、印刷物の前記印刷済ページの装丁領域の寸法に対応する前記粘着性の背領域が、前記取付けステップのために露出される、請求項４に記載の方法。
【請求項６】
前記第１の積層物および前記第２の積層物のうち対応する一方に各々が関連付けられた２つのブロック支持テーブルを供給するステップをさらに含み、前記ブロック支持テーブルの相対的な高さは、前記第１の積層物および前記第２の積層物の前記同一平面上の印刷可能な上面を維持するように調整可能である、請求項１に記載の方法。
【請求項７】
前記第２の積層物の前記上面ページを前記第１の積層物に再配置する各前記ステップの後で、前記新たな前記印刷可能な上面を所定の印刷高さに配置するように、前記第１の積層物および前記第２の積層物の各々の高さを調整するステップをさらに含む、請求項１に記載の方法。
【請求項８】
前記第２の積層物の前記上面ページを前記第１の積層物に再配置する前記ステップ中に再配置されるページ数を、再配置物の厚さを特定するように構成されたセンサを用いて特定するステップをさらに含む、請求項１に記載の方法。
【請求項９】
装丁によって各ページの綴じ代に沿って予め綴じられた印刷可能ページのブロックのページに印刷するための装置であって、
（ａ）  装置フレームと、
（ｂ）  装丁によって相互に接続された２つの隣接積層物を形成するように、ブロックを前記フレーム内に配置することができるように構成されたブロック支持構造とを備え、複数の印刷可能ページのうち少なくとも１ページは第１の積層物に配置され、残りの前記複数の印刷可能ページは第２の積層物に配置され、かつ前記第１の積層物および前記第２の積層物の印刷可能な上面は同一平面上にあり、さらに、
ｃ）  前記フレームに関連付けられた印刷装置と、
ｄ）  前記第１の積層物および前記第２の積層物のうち少なくとも一方の前記上面に印刷するように、前記印刷装置と前記印刷可能な上面との間に相対的な移動を生じさせるように構成された変位機構と、
ｅ）  前記フレームに関連付けられたページめくり機構とを備え、前記ページめくり機構は、新たな前記印刷可能な上面が得られるように、前記第２の積層物の綴じられた上面ページを前記第１の積層物に再配置するように構成される、装置。
【請求項１０】
装丁はフレキシブル粘着性装丁である、請求項９に記載の装置。
【請求項１１】
前記ブロック支持構造は、前記第１の積層物および前記第２の積層物のうち対応する一方に各々が関連付けられた２つのブロック支持テーブルを含み、前記２つのブロック支持テーブルは、前記第１の積層物および前記第２の積層物の前記同一平面上の印刷可能な上面を維持するように、前記ブロック支持テーブルの相対的な高さが調整可能であるように構成される、請求項９に記載の装置。
【請求項１２】
印刷中に前記印刷可能な上面の高さを制御するように構成された、少なくとも１つの上面位置合わせ要素をさらに含む、請求項９に記載の装置。
【請求項１３】
前記変位機構は、前記印刷可能な上面のＸ軸およびＹ軸について前記印刷装置を移動させるように構成される、請求項９に記載の装置。
【請求項１４】
前記印刷装置のホームポジションへの戻りが、前記第２の積層物の前記上面ページを前記第１の積層物に再配置する前記ステップを起こさせるように、前記ページめくり機構が前記変位機構に関連付けられる、請求項１３に記載の装置。
【請求項１５】
前記ページめくり機構は、ページ印刷位置とページめくり位置との間で変位可能な、少なくとも１つのページめくりアームを含む、請求項１４に記載の装置。
【請求項１６】
前記第２の積層物の前記上面ページを持上げ、前記ページめくりアームと係合させ、前記第１の積層物に再配置するように構成されたページ持上げ機構をさらに含む、請求項１５に記載の装置。
【請求項１７】
前記ページ持上げ機構は静電素子を有する、請求項１６に記載の装置。
【請求項１８】
前記ページめくり機構によって１ページがめくられたかどうかを特定するように構成されたセンサをさらに含む、請求項９に記載の装置。
【請求項１９】
前記第１の積層物を前記第２の積層物から分離するように構成された切断要素をさらに含む、請求項９に記載の装置。
【請求項２０】
予め綴じられたページに印刷するための装置と連携して、綴じられた印刷物を作成するための部品一式であって、当該部品一式は、
ａ）  装丁によって予め綴じられた印刷可能ページのブロックを備え、前記装置によっ
て印刷された前記印刷可能ページのうちの複数ページは、予め綴じられた印刷済ページとして前記ブロックから分離可能であり、さらに、
ｂ）  印刷物の前記予め綴じられた印刷済ページと相互に接続するための取付構造を有する本の表紙を備える、部品一式。
【発明の詳細な説明】
【技術分野】
【０００１】
発明の分野および背景
本発明は、本印刷および製本に関し、特に、予め綴じられたページへの印刷および予め製造された本の表紙の取付けに関する。
【背景技術】
【０００２】
現状の本印刷および製本は、印刷および製本プロセスの速度および品質に向けた機械化の向上が目覚しいものの、本印刷および製本の基本的なステップにおいてはほとんど変化が見られない。
【０００３】
一般的には、プロセスは以下のとおりである。まずページが印刷される。次に、丁合いするため、すなわち折丁に製本するため、ページが切断される。その後、縫製または背固めのいずれかによって折丁を結合することにより、本文ブロックが形成される。最後に表紙が取付けられる。したがって、本文ブロックを形成するプロセスは本のページ数についてのみ行なわれ、制作する本ごとに当該プロセスが繰返される。
【発明の開示】
【発明が解決しようとする課題】
【０００４】
このプロセスは大量生産にはよく適するが、少数の本を手頃な価格で制作するにはほとんど適さず、一冊の本の制作には全く適さない。
【０００５】
米国特許第４，７７６，７１１号は、予め綴じられた銀行通帳のページに印刷するための印刷装置を開示している。この装置は２つの印刷装置を採用しており、それぞれが露出した各ページに関連付けられている。２つの印刷装置は、各ページの高さの違いを補正するのに用いられる。
【０００６】
したがって、予め綴じられたページブロックのページに直接印刷し、印刷済ページをページブロックから分離し、その結果得られた本文ブロックに表紙を取付けることによって本を制作するためのシステムが必要である。当該システムが印刷装置を１つだけ採用すれば有益であろう。
【課題を解決するための手段】
【０００７】
発明の概要
本発明は、予め綴じられたページブロックのページに直接印刷し、印刷済ページをページブロックから分離し、その結果得られた本文ブロックに表紙を取付けることによって本を制作するためのシステムである。
【０００８】
本発明の教示によれば、印刷物を制作するための方法が提供され、当該方法は、ａ）装丁によって各ページの綴じ代に沿って予め綴じられた複数の空白ページからなるブロックを形成するステップと、ｂ）装丁によって相互に接続された２つの隣接積層物を形成するようにブロックを配置するステップとを備え、複数の印刷可能ページのうち少なくとも１ページは第１の積層物に配置され、残りの複数の印刷可能ページは第２の積層物に配置され、かつ第１の積層物および第２の積層物の印刷可能な上面は同一平面上にあり、さらに、ｃ）第１の積層物および第２の積層物のうち少なくとも一方の上面に印刷するように、印刷装置と印刷可能な上面との間に相対的な移動を生じさせるステップと、ｄ）新たな印刷可能な上面が得られるように、第２の積層物の上面ページを第１の積層物に再配置する
ステップと、ｅ）必要に応じてステップ（ｃ）およびステップ（ｄ）を繰返して、所要のページ数を印刷するステップとを備える。
【０００９】
本発明のさらなる教示によれば、印刷物の印刷済ページをブロックから分離するステップも提供される。
【００１０】
本発明のさらなる教示によれば、印刷済ページを分離するステップは、印刷装置に関連付けられた切断要素を用いて行なわれ、切断要素は第１の積層物を第２の積層物から分離するように構成される。
【００１１】
本発明のさらなる教示によれば、印刷物の印刷済ページを、印刷物の印刷済ページと相互に接続するための取付構造を有する本の表紙に取付けるステップも提供される。
【００１２】
本発明のさらなる教示によれば、本の表紙は、予め製造された調整可能な本の表紙として与えられ、粘着性の背領域を有し、粘着性の背領域は、少なくとも１つの剥離する表紙部によって被覆され、少なくとも１つの剥離する表紙部は、除去されると所定の粘着性領域を露出させるように構成され、印刷物の印刷済ページの装丁領域の寸法に対応する粘着性の背領域が、取付けステップのために露出される。
【００１３】
本発明のさらなる教示によれば、第１の積層物および第２の積層物のうち対応する一方に各々が関連付けられた２つのブロック支持テーブルを供給するステップも提供され、ブロック支持テーブルの相対的な高さは、第１の積層物および第２の積層物の同一平面上の印刷可能な上面を維持するように調整可能である。
【００１４】
本発明のさらなる教示によれば、第２の積層物の上面ページを第１の積層物に再配置する各ステップの後で、新たな印刷可能な上面を所定の印刷高さに配置するように、第１の積層物および第２の積層物の各々の高さを調整するステップも提供される。
【００１５】
本発明のさらなる教示によれば、第２の積層物の上面ページを第１の積層物に再配置するステップ中に再配置されるページ数を、再配置物の厚さを特定するように構成されたセンサを用いて特定するステップも提供される。
【００１６】
本発明の教示によれば、装丁によって各ページの綴じ代に沿って予め綴じられた印刷可能ページのブロックのページに印刷するための装置も提供され、当該装置は、ａ）装置フレームと、ｂ）装丁によって相互に接続された２つの隣接積層物を形成するように、ブロックをフレーム内に配置することができるように構成されたブロック支持構造とを備え、複数の印刷可能ページのうち少なくとも１ページは第１の積層物に配置され、残りの複数の印刷可能ページは第２の積層物に配置され、かつ第１の積層物および第２の積層物の印刷可能な上面は同一平面上にあり、さらに、ｃ）フレームに関連付けられた印刷装置と、ｄ）第１の積層物および第２の積層物のうち少なくとも一方の上面に印刷するように、印刷装置と印刷可能な上面との間に相対的な移動を生じさせるように構成された変位機構と、ｅ）フレームに関連付けられたページめくり機構とを備え、ページめくり機構は、新たな印刷可能な上面が得られるように、第２の積層物の綴じられた上面ページを第１の積層物に再配置するように構成される。
【００１７】
本発明のさらなる教示によれば、装丁はフレキシブル粘着性装丁である。
本発明のさらなる教示によれば、ブロック支持構造は、第１の積層物および第２の積層物のうち対応する一方に各々が関連付けられた２つのブロック支持テーブルを含み、２つのブロック支持テーブルは、第１の積層物および第２の積層物の同一平面上の印刷可能な上面を維持するように、ブロック支持テーブルの相対的な高さが調整可能であるように構
成される。
【００１８】
本発明のさらなる教示によれば、印刷中に印刷可能な上面の高さを制御するように構成された、少なくとも１つの上面位置合わせ要素も設けられる。
【００１９】
本発明のさらなる教示によれば、変位機構は、印刷可能な上面のＸ軸およびＹ軸について印刷装置を移動させるように構成される。
【００２０】
本発明のさらなる教示によれば、印刷装置のホームポジションへの戻りが、第２の積層物の上面ページを第１の積層物に再配置するステップを起こさせるように、ページめくり機構が変位機構に関連付けられる。
【００２１】
本発明のさらなる教示によれば、ページめくり機構は、ページ印刷位置とページめくり位置との間で変位可能な、少なくとも１つのページめくりアームを含む。
【００２２】
本発明のさらなる教示によれば、第２の積層物の上面ページを持上げ、ページめくりアームと係合させ、第１の積層物に再配置するように構成されたページ持上げ機構も設けられる。
【００２３】
本発明のさらなる教示によれば、ページ持上げ機構は静電素子を有する。
本発明のさらなる教示によれば、ページめくり機構によって１ページがめくられたかどうかを特定するように構成されたセンサも設けられる。
【００２４】
本発明のさらなる教示によれば、第１の積層物を第２の積層物から分離するように構成された切断要素も設けられる。
【００２５】
本発明の教示によれば、綴じられた印刷物を作成するための部品一式も提供され、当該部品一式は、ａ）装丁によって予め綴じられた印刷可能ページのブロックと、ｂ）印刷可能ページのブロックのページに印刷するための装置と、ｃ）印刷物の予め綴じられた印刷済ページと相互に接続するための取付構造を有する本の表紙とを備える。
【発明を実施するための最良の形態】
【００２６】
好ましい実施例の説明
添付の図面を参照し、例示のみを目的として本発明をここに説明する。
【００２７】
本発明は、予め綴じられたページブロックのページに直接印刷し、印刷済ページをページブロックから分離し、その結果得られた本文ブロックに表紙を取付けることによって本を制作するためのシステムである。
【００２８】
本発明に係る本を制作するためのシステムの原理および動作は、図面および次の説明を参照すれば、よりよく理解されるであろう。
【００２９】
前置きとして、本発明は、印刷装置と、そのような装置を用いて本を制作するための方法と、予め綴じられた印刷物を作成するための部品一式とを備え、部品一式は、印刷装置と、予め綴じられた印刷可能ページのブロックと、本の表紙とを含む。印刷装置は、装丁によって各ページの綴じ代に沿って予め綴じられた印刷可能ページのブロックのページに印刷するように構成される。ページが印刷前に綴じ合わされているため、フレキシブル装丁で結合されている、相互に接続された２つの積層物にブロックを配置する必要がある。印刷は積層物の各々の上面に対して行なわれ、次に一方の積層物から他方にページが再配置される。再配置プロセス中にページがめくられ、それによって当該ページの印刷されて
いない面が露出される。積層物の各々の高さはページが再配置されるたびに変化するため、印刷装置は、２つの高さ調整可能な積層物支持テーブルを含み、各々が２つの積層物のうち対応する一方に関連付けられる。
【００３０】
ここで用いる限りにおいて、「印刷可能ページ」という語句は、本発明の印刷装置を用いて印刷し得るページを指す。限定はしないが、そのようなページに透かし、背景デザイン、挿絵および写真が予め印刷され得ることは本発明の範囲内である。ここで用いる限りにおいて、「予め綴じられた」という語句は、複数の個々のページを各ページの一端に沿って当該分野で既知のいずれかの綴じ方によって相互に接続することを指す。ここで用いる「綴じられた印刷物」という語句は、ページが綴じ合わされた実質的にいずれかの印刷媒体、たとえば、限定はしないが、本、小冊子、ノート、パンフレット、冊子およびカタログを指す。
【００３１】
図面を参照し、図１は印刷可能ページのブロック４を示し、フレキシブル装丁４０によって各ページの綴じ代４２に沿って予め綴じられている。印刷プロセス中に、ブロック４が、フレキシブル装丁４０によって結合された２つの積層物４ａおよび４ｂに配置される。印刷は、２つの積層物４ａおよび４ｂの印刷可能な上面４４ａおよび４４ｂに対して行なわれる。
【００３２】
図２は、本発明に係る印刷装置の好ましい実施例を示し、ここでは総括して２と称する。２つの積層物４ａおよび４ｂは、高さ調整可能な積層物支持テーブル６ａおよび６ｂ上にそれぞれ配置される。高さ調整可能な積層物支持テーブル６ａおよび６ｂの高さは、高さ調整可能要素８ａおよび８ｂによって変化する。高さ調整可能要素８ａおよび８ｂの移動は、限定はしないが、電動機、空気圧式装置、油圧式装置、または当該分野で既知の、実質的に他のいずれかの適切な装置によって駆動すればよい。好ましくは、高さ調整可能な積層物支持テーブル６ａおよび６ｂは衝撃吸収ばね１０を有し、高さ調整プロセスの影響をやわらげ、以下に述べるように、紙規制ガイド１２ａおよび１２ｂに当接するときの２つの積層物４ａおよび４ｂの各々の最終的な高さ調整が可能になるように構成される。ばね１０は本発明を実施するために企図された最良の形態と考えられるものを表し得るが、他の構造、たとえば限定はしないが、クッション付きテーブルおよびフレキシブルテーブルも本発明の範囲内である。
【００３３】
２つの積層物４ａおよび４ｂの印刷可能な上面４４ａおよび４４ｂからなる、実質的に平坦な印刷面が得られるように、印刷装置２は実質的に平行な紙規制ガイド１２ａおよび１２ｂを備え、これらは印刷位置（図２）と紙配置位置（図３から図５）との間で変位可能である。印刷プロセス中に、紙規制ガイド１２ａおよび１２ｂが印刷位置に配置され、高さ調整可能要素８ａおよび８ｂによって、印刷可能な上面４４ａおよび４４ｂが紙規制ガイド１２ａおよび１２ｂに当接する。積層物４４ｂの上面ページを積層物４４ａに再配置するステップ中にブロック４が最初に印刷装置２に配置されたとき、および、ブロック４の全部または一部が印刷装置２から取出されたとき、紙規制ガイド１２ａおよび１２ｂが紙配置位置に配置される。固定型紙規制ガイドの使用も採用してもよく、本発明の範囲内であると考えられることに留意すべきである。
【００３４】
平行なＸ軸レール２４ａおよび２４ｂに沿ってＹ軸レール２２が駆動されると、印刷装置２０は、好ましくは、Ｙ軸レール２２を横切るように駆動される。
【００３５】
図３から図５に示すように、印刷可能な上面４４ａおよび４４ｂへの印刷が終了すると、高さ調整可能な積層物支持テーブル６ａおよび６ｂが下降し、紙規制ガイド１２ａおよび１２ｂが紙配置位置に上昇する。
【００３６】
図３は、ページ持上げ機構３０をさらに示す。好ましくは、ページ持上げ機構３０は静電素子３２を有し、梁３４によって支持され、アーム３６によって上昇および下降する。したがって静電素子３２は上面４４ｂまで下降し、次に積層物４ｂの（図４および図５に最もよく見られる）上面ページ３８を伴って上昇する。積層物４ｂの上面ページ３８が上昇すると、ページめくりアーム５０が印刷位置（図２および図３）からページめくり位置（図４および図５）に回転する。Ｙ軸レールが印刷装置２０をホームポジションに戻すと、図５に示すように、ページめくりアームが上面ページ３８を積層物４ａの上に再配置する。一方の積層物の上面ページを他方に再配置したりめくるのに用いられるいずれの装置および方法も本発明の範囲内であることが理解されるであろう。限定はしないが、静電素子、真空素子、および当該分野で既知の、ページに取付可能な他のいずれかの素子によって構成される持上げ素子の採用が本発明の範囲に含まれることに留意すべきである。
【００３７】
好ましくは、ページめくりプロセスは、１ページだけが再配置されたことを確認するステップを含む。これは、当該分野で既知の、多くの検知装置のいずれかを用いることによって、すなわち積層物４ａおよび４ｂの各々の高さの変化を特定することによって行なうことができる。しかしながら、好ましくは、積層物４ａ上の再配置物の厚さはゲージ７０によって測定され、これは図６および図７に最もよく示される。図示するように、ゲージ７０は、再配置物７２の最端部が下部アーム７４の上にくるように伸長され、再配置物７２の上面に上部アーム７６が降下し、厚さが特定される。当該厚さが、ブロック４のページのうちの１ページの厚さに対応する範囲に収まる場合は、印刷プロセスが続行される。反対に、当該厚さがブロック４のページのうちの１ページの厚さに対応する範囲から外れている場合は、印刷プロセスが休止される。測定プロセスが終わると、ゲージ７０は後退する。
【００３８】
上面ページ３８を積層物４ａの上に再配置した後、印刷可能な上面４４ａおよび４４ｂを紙規制ガイド１２ａおよび１２ｂに当接させるように、紙規制ガイド１２ａおよび１２ｂが印刷位置まで下降し、高さ調整可能な積層物支持テーブル６ａおよび６ｂが上昇する。それによって、印刷プロセスに必要とされる実質的に平坦な印刷面が得られる。ある実施例では、光学センサ６０を用いて、上面４４ａおよび４４ｂの位置合わせを補助してもよい。同一平面上にあって実質的に平坦な印刷面が得られるように、印刷可能な上面４４ａおよび４４ｂを位置合わせするための、実質的にいずれの適切な装置および方法も本発明の範囲内であることは容易に理解されるであろう。
【００３９】
図８に示すように、印刷プロセスが終了すると、印刷済ページの積層物４ａが積層物４ｂの印刷されていないページから分離される。好ましくは、２つの積層物４ａおよび４ｂの分離は切断要素８０によって行なわれ、ここでは印刷装置２０に関連付けて示す。切断要素は印刷装置に関連付けられる必要はなく、手作業で行なってもよい点に留意すべきである。したがって、２つの積層物４ａおよび４ｂを分離する実質的にいずれの方法も本発明の範囲内である。
【００４０】
本を完成させるため、積層物４ａが印刷装置２から取出されると、印刷済ページの積層物４ａに本の表紙１００が取付けられる。本の表紙１００を取付けるプロセスを図９から図１２に示す。本発明に係る、予め製造された調整可能な本の表紙１００は粘着性の背領域１０２を有し、粘着性の背領域１０２は少なくとも１つの剥離する表紙部１０４によって被覆され、少なくとも１つの剥離する表紙部１０４は、除去されると所定の粘着性領域を露出させるように構成される。図９に示すように、積層物４ａを取付けるために剥離する表紙部１０４が除去され、積層物４ａの装丁領域１０６の寸法に対応する粘着性の背１０２の領域が露出される。次に、露出した粘着性の背１０２に積層物４ａが当接される（図１０および図１１）。
【００４１】
装丁領域１０６の幅は本ごとに異なるため、本の表紙の表表紙部分１１０および裏表紙部分１１２は、好ましくは余裕を持たせた寸法である。したがって、表表紙部分１１０および裏表紙部分１１２を、本の表紙に挿入される積層物４ａの寸法に合わせなければならない場合がある。これは、表表紙部分１１０および裏表紙部分１１２を単純に適切な寸法に折ることによって行えばよい。代替的に、またはさらに、表表紙部分１１０および裏表紙部分１１２の最端部の各々に、除去されると粘着性領域を露出させるように構成された剥離する表紙部によって被覆される粘着部分（図示せず）を設けてもよい。予め綴じられたページに本の表紙を取付けるための実質的にいずれの方法も本発明の範囲内であることに留意すべきである。
【００４２】
したがって、本発明の教示に係る、本を制作するためのステップは以下のとおりである。
【００４３】
１．印刷可能ページのブロック４が２つの積層物４ａおよび４ｂに配置されるように、ブロック４を印刷装置２に挿入するステップ。
【００４４】
２．２つの積層物４ａおよび４ｂの連続する上面４４ａおよび４４ｂに本を印刷するステップ。
【００４５】
３．ブロック４の印刷されていないページから本の印刷済ページを分離し、印刷済ページを印刷装置２から取出すステップ。
【００４６】
４．少なくとも１つの剥離する表紙部１０４を剥離して、印刷済ページの装丁１０６の領域に対応する粘着性背領域１０２の領域を露出させることにより、本の表紙１００を作成するステップ。
【００４７】
５．印刷済ページの装丁１０６を本の表紙１００の背１０２に取付けるステップ。
６．必要に応じて表表紙部分１１０および裏表紙部分１１２の最端部を調整して、印刷済ページに適合させるステップ。
【００４８】
さらに、本発明の印刷装置２は、印刷開始前に、現在の印刷ジョブに必要なページ数をブロック４が有していることを確かめるように構成してもよいことに留意すべきである。これは、当該分野で既知の実質的にいずれかの方法、たとえば限定はしないが、光学センサ、赤外線検出器、機械的な測定機構、および他の電子的な手段によって行なってもよい。代替的に、またはさらに、ページ数の割り当て、たとえば限定はしないが、ブロック４の１つ以上の側面に印刷された数字、図形および他のグラフィック表示をブロック４自身が有してもよい。
【００４９】
上記の説明は例示を目的としたものに過ぎず、本発明の精神および範囲内において他の多くの実施例が可能であることが理解されるであろう。
【図面の簡単な説明】
【００５０】
【図１】本発明の教示によって構成され実施される、装丁によって各ページの綴じ代に沿って予め綴じられた印刷可能ページのブロックの等角投影図である。
【図２】本発明の教示によって構成され実施される印刷装置の好ましい実施例の等角投影図である。
【図３】本発明の教示によるめくりプロセスを示す、図２の実施例の一連の等角投影図である。
【図４】本発明の教示によるめくりプロセスを示す、図２の実施例の一連の等角投影図である。
【図５】本発明の教示によるめくりプロセスを示す、図２の実施例の一連の等角投影図である。
【図６】本発明の教示による、めくられたページ数を確認するプロセスを示す側面図である。
【図７】本発明の教示による、めくられたページ数を確認するプロセスを示す側面図である。
【図８】図２の実施例に示した、本発明の教示によって構成され実施される切断要素の好ましい実施例の等角投影図である。
【図９】本発明の教示によって構成され実施される本の表紙の等角投影図である。
【図１０】本の印刷済ページを図９の本の表紙に取付けるプロセスを示す等角投影図である。
【図１１】本の印刷済ページを図９の本の表紙に取付けるプロセスを示す等角投影図である。
【図１２】本の印刷済ページを図９の本の表紙に取付けるプロセスを示す等角投影図である。
【図１】
2008545548.tif 000002
【図２】
2008545548.tif 000003
【図３】
2008545548.tif 000004
【図４】
2008545548.tif 000005
【図５】
2008545548.tif 000006
【図６】
2008545548.tif 000007
【図７】
2008545548.tif 000008
【図８】
2008545548.tif 000009
【図９】
2008545548.tif 000010
【図１０】
2008545548.tif 000011
【図１１】
2008545548.tif 000012
【図１２】
2008545548.tif 000013
【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
印刷物を制作するための方法であって、
（ａ）  装丁によって各ページの綴じ代に沿って予め綴じられた複数の空白ページからなるブロックを形成するステップと、
（ｂ）  前記装丁によって相互に接続された２つの隣接積層物を形成するように前記ブロックを配置するステップとを備え、複数の空白ページのうち少なくとも１ページは第１の積層物に配置され、残りの前記複数の空白ページは第２の積層物に配置され、さらに、
（ｃ）  前記第１の積層物および前記第２の積層物のうち少なくとも一方の上面に印刷するように、印刷装置と前記隣接積層物の上面との間に相対的な移動を生じさせるステップと、
（ｄ）  新たな印刷可能な上面が得られるように、前記第２の積層物の上面ページを前記第１の積層物に再配置するステップと、
（ｅ）  ステップ（ｃ）およびステップ（ｄ）を繰返して、複数のページを印刷するステップとを備える、方法。
【請求項２】
印刷物の印刷済ページを前記ブロックから分離するステップをさらに含む、請求項１に記載の方法。
【請求項３】
印刷済ページを分離する前記ステップは、前記印刷装置に関連付けられた切断要素を用いて行なわれ、前記切断要素は、前記第１の積層物を前記第２の積層物から分離するように構成される、請求項２に記載の方法。
【請求項４】
印刷物の印刷済ページを、印刷物の前記印刷済ページと相互に接続するための取付構造を有する本の表紙に取付けるステップをさらに含む、請求項１に記載の方法。
【請求項５】
前記本の表紙は、予め製造された調整可能な本の表紙として与えられ、粘着性の背領域を有し、粘着性の背領域は、少なくとも１つの剥離する表紙部によって被覆され、少なくとも１つの剥離する表紙部は、除去されると所定の粘着性領域を露出させるように構成され、印刷物の前記印刷済ページの装丁領域の寸法に対応する前記粘着性の背領域が、前記
取付けステップのために露出される、請求項４に記載の方法。
【請求項６】
前記第１の積層物および前記第２の積層物の同一平面上の印刷可能な上面を維持するように、前記第１の積層物および前記第２の積層物のうち対応する一方に各々が関連付けられた２つのブロック支持テーブルの間の相対的な高さを調整するステップをさらに含む、請求項１に記載の方法。
【請求項７】
前記第２の積層物の前記上面ページを前記第１の積層物に再配置する各前記ステップの後で、前記新たな印刷可能な上面を所定の印刷高さに配置するように、前記第１の積層物および前記第２の積層物の各々の高さを調整するステップをさらに含む、請求項１に記載の方法。
【請求項８】
前記第２の積層物の前記上面ページを前記第１の積層物に再配置するステップ中に再配置されるページ数を、再配置されたページの厚さを特定するように構成されたセンサを用いて特定するステップをさらに含む、請求項１に記載の方法。
【請求項９】
装丁によって各ページの綴じ代に沿って予め綴じられたページのブロックに印刷するための装置であって、
（ａ）  装置フレームと、
（ｂ）  装丁によって相互に接続された２つの隣接積層物を形成するように、ブロックを前記フレーム内に配置することができるように構成されたブロック支持構造とを備え、ページのうち少なくとも１ページは第１の積層物に配置され、残りの前記ページは第２の積層物に配置され、さらに、
（ｃ）  前記フレームに関連付けられた印刷装置と、
（ｄ）  前記第１の積層物および前記第２の積層物のうち少なくとも一方の上面に印刷するように、前記印刷装置と前記第１の積層物および前記第２の積層物の印刷可能な上面との間に相対的な移動を生じさせるように構成された変位機構と、
（ｅ）  前記フレームに関連付けられたページめくり機構とを備え、前記ページめくり機構は、新たな印刷可能な上面が得られるように、前記第２の積層物の綴じられた上面ページを前記第１の積層物に再配置するように構成される、装置。
【請求項１０】
装丁はフレキシブル粘着性装丁である、請求項９に記載の装置。
【請求項１１】
前記ブロック支持構造は、前記第１の積層物および前記第２の積層物のうち対応する一方に各々が関連付けられた２つのブロック支持テーブルを含み、前記２つのブロック支持テーブルは、前記第１の積層物および前記第２の積層物の同一平面上の印刷可能な上面を維持するように、前記ブロック支持テーブルの相対的な高さが調整可能であるように構成される、請求項９に記載の装置。
【請求項１２】
印刷中に前記上面の高さを制御するように構成された、少なくとも１つの上面位置合わせ要素をさらに含む、請求項９に記載の装置。
【請求項１３】
前記変位機構は、前記上面のＸ軸およびＹ軸の方向に前記印刷装置を移動させるように構成される、請求項９に記載の装置。
【請求項１４】
前記印刷装置のホームポジションへの戻りが、前記第２の積層物の前記上面ページを前記第１の積層物に再配置するステップを引き起こすように、前記ページめくり機構が前記変位機構に関連付けられる、請求項１３に記載の装置。
【請求項１５】
前記ページめくり機構は、ページ印刷位置とページめくり位置との間で変位可能な、少
なくとも１つのページめくりアームを含む、請求項１４に記載の装置。
【請求項１６】
前記第２の積層物の前記上面ページを持上げ、前記ページめくりアームと係合させ、前記第１の積層物に再配置するように構成されたページ持上げ機構をさらに含む、請求項１５に記載の装置。
【請求項１７】
前記ページ持上げ機構は静電素子を有する、請求項１６に記載の装置。
【請求項１８】
前記ページめくり機構によって１ページがめくられたかどうかを特定するように構成されたセンサをさらに含む、請求項９に記載の装置。
【請求項１９】
前記第１の積層物を前記第２の積層物から分離するように構成された切断要素をさらに含む、請求項９に記載の装置。